(57)【要約】【課題】コミュニケーションサービスにおける交信内容と関連性の高い番組の視聴をしやすくすることができる映像表示装置および映像表示方法を提供することである。【解決手段】実施形態の映像表示装置は、受信手段と、取得手段と、関連番組抽出手段と、表示手段とを備える。受信手段は、文字列を含んだコンテンツを外部装置から受信する。取得手段は、複数の番組各々に関する情報を示した番組情報を取得する。関連番組抽出手段は、前記番組情報内に前記コンテンツ内の前記文字列が含まれる場合に、当該番組情報に対応した番組を前記コンテンツに関連した関連番組として抽出する。表示手段は、前記コンテンツと、前記関連番組の番組情報に含まれる情報とを表示する。【選択図】図３
2013012921.tif 000002
【特許請求の範囲】
【請求項１】
文字列を含んだコンテンツを外部装置から受信する受信手段と、
複数の番組各々に関する情報を示した番組情報を取得する取得手段と、
前記番組情報内に前記コンテンツ内の前記文字列が含まれる場合に、当該番組情報に対応した番組を前記コンテンツに関連した関連番組として抽出する関連番組抽出手段と、
前記コンテンツと、前記関連番組の番組情報に含まれる情報とを表示する表示手段と、
を備える映像表示装置。
【請求項２】
前記受信手段は、コミュニケーションサービスを提供する前記外部装置から、当該コミュニケーションサービスにおいてユーザの識別のために用いられるユーザ識別情報を含んだ前記コンテンツを受信し、
前記関連番組抽出手段は、前記番組情報に前記ユーザ識別情報が含まれる場合に、当該番組情報の番組を前記関連番組として抽出する請求項１に記載の映像表示装置。
【請求項３】
前記受信手段が受信した前記コンテンツに含まれている前記ユーザ識別情報を抽出して識別情報リストを生成するリスト生成手段をさらに備え、
前記関連番組抽出手段は、前記識別情報リストに含まれる前記ユーザ識別情報が前記番組情報に含まれる場合に、その番組を前記関連情報として抽出する請求項２に記載の映像表示装置。
【請求項４】
前記外部装置に前記コンテンツを送信する送信手段をさらに備え、
前記関連番組抽出手段は、前記送信手段が前記コンテンツを前記外部装置に送信し、さらに、前記外部装置から前記コンテンツを受信した場合に、送受信した前記コンテンツに含まれる前記ユーザ識別情報と、前記番組情報とに基づいて前記関連番組を抽出する請求項２または３に記載の映像表示装置。
【請求項５】
前記関連番組に対して、視聴、録画、録画予約のうち少なくとも１つの操作を受付ける受付手段をさらに備える請求項１ないし４のいずれか１つに記載の映像表示装置。
【請求項６】
映像表示装置で行われる映像表示方法であって、
文字列を含んだコンテンツを外部装置から受信する受信工程と、
複数の番組各々に関する情報を示した番組情報を取得する取得工程と、
前記番組情報内に前記コンテンツ内の前記文字列が含まれる場合に、当該番組情報に対応した番組を前記コンテンツに関連した関連番組として抽出する関連番組抽出工程と、
前記コンテンツと、前記関連番組の番組情報に含まれる情報とを表示する表示工程と、
を含む映像表示方法。
【発明の詳細な説明】
【技術分野】
【０００１】
本発明の実施形態は、映像表示装置および映像表示方法に関する。
【背景技術】
【０００２】
近年、テレビ番組の公報活動においては、番組の公式Ｗｅｂサイトでの宣伝のみならず、Twitter（登録商標）、YouTube（登録商標）等の動画配信サービス、Facebook（登録商標）等のＳＮＳ（Social  Networking  Service）等のコミュニケーションサービスを介して番組の宣伝を行うことが盛んになってきている。一方で、テレビ画面の一部においてこのようなコミュニケーションサービスの利用画面を表示させる技術も知られており、デジタルテレビジョンを用いて種々のコミュニケーションサービスを利用することが可能となっている。
【０００３】
従来、デジタルテレビ放送の番組情報とＷｅｂページとを予め関連付けて登録しておき、視聴中の番組に関連付けられたＷｅｂページが有る場合にはそのＷｅｂページを画面上に表示する技術が知られている。
【先行技術文献】
【特許文献】
【０００４】
【特許文献１】特開２００７−３１２２５０号公報
【発明の概要】
【発明が解決しようとする課題】
【０００５】
しかしながら、従来技術においては、コミュニケーションサービスにおける交信内容に基づいてユーザに番組の視聴を勧めることは行われていない。従って、コミュニケーションサービスにおける交信内容と関連性の高い番組が電子番組ガイド（ＥＰＧ：Electric  Program  Guide）内に存在する場合であっても、ユーザはその番組を知らないため、番組の視聴には繋がりにくいという課題があった。
【０００６】
本発明の課題は、コミュニケーションサービスにおける交信内容と関連性の高い番組の視聴をしやすくすることができる映像表示装置および映像表示方法を提供することである。
【課題を解決するための手段】
【０００７】
実施形態の映像表示装置は、受信手段と、取得手段と、関連番組抽出手段と、表示手段とを備える。受信手段は、文字列を含んだコンテンツを外部装置から受信する。取得手段は、複数の番組各々に関する情報を示した番組情報を取得する。関連番組抽出手段は、前記番組情報内に前記コンテンツ内の前記文字列が含まれる場合に、当該番組情報に対応した番組を前記コンテンツに関連した関連番組として抽出する。表示手段は、前記コンテンツと、前記関連番組の番組情報に含まれる情報とを表示する。
【図面の簡単な説明】
【０００８】
【図１】図１は、実施形態のデジタルテレビジョンの一例を示す外観斜視図である。
【図２】図２は、デジタルテレビジョンの信号処理系を示すブロック図である。
【図３】図３は、デジタルテレビジョンが有するソフトウェア構成を示すブロック図である。
【図４】図４は、番組表データベースが格納するデータの一例を示す模式図である。
【図５】図５は、ＳＮＳにおける交信処理手順の一例を示すシーケンス図である。
【図６】図６は、ＳＮＳ画面の更新処理の手順を説明するフローチャートである。
【図７】図７は、関連番組検索結果画面の一例を示す図である。
【図８】図８は、デジタルテレビジョンが行う関連番組検索処理の手順を示すフローチャートである。
【図９】図９は、関連番組検索結果画面のその他の例を示す図である。
【発明を実施するための形態】
【０００９】
図１は、実施形態にかかる映像表示装置であるデジタルテレビジョン１の一例を示す外観斜視図である。図１に示すように、デジタルテレビジョン１は、前方から見た正面視（前面に対する平面視）で、長方形状の外観を呈している。デジタルテレビジョン１は、筐体２と、ＬＣＤ（Liquid  Crystal  Display）パネル３を備えている。ＬＣＤパネル３は、後述する映像処理部２０（図２参照）から映像信号を受け取り、静止画や動画等の映像を表示する。また、筐体２は、支持部４に支持されている。
【００１０】
図２は、デジタルテレビジョン１の信号処理系を示すブロック図である。図２に示すように、デジタルテレビジョン１は、アンテナ１２で受信したデジタルテレビジョン放送信号を、入力端子１３を介してチューナ部１４に供給することにより、所望のチャンネルの放送信号を選局することが可能になっている。チューナＡ１４１およびチューナＢ１４２は地上デジタル放送受信用のチューナであり、チューナＣ１４３はＢＳ／ＣＳデジタル放送受信用のチューナである。なお、図２においては、チューナを３台有している場合について示すが、チューナの数はこれに限定されるものではない。
【００１１】
チューナ部１４は受信した放送信号を復調復号部１５に出力する。復調復号部１５は、入力された放送信号をデジタルの映像信号及び音声信号等に復元し、入力信号処理部１６に出力する。
【００１２】
デジタルテレビジョン１には、デジタルテレビジョン１の外部からデジタルの映像信号又は音声信号を直接入力するための入力端子３１が設けられている。入力端子３１を介して入力されたデジタルの映像信号及び音声信号は、記録再生処理部２９に入力される。
【００１３】
操作部２４は、筐体２に設けられ、電源のオン・オフを行うスイッチ、チャンネルを切り替えるスイッチ等を備えている。受信部２６は、リモートコントローラ（以下、リモコンと略称する）２５から信号を受信して受信した信号を制御部４０に出力する。制御部４０は、操作部２４またはリモコン２５におけるユーザの操作に基づいて再生、チャンネル切替、録画予約等の指示を受付ける。
【００１４】
ディスクドライブ部２７は、例えばＤＶＤ（Digital  Versatile  Disk）等の光ディスク２８に対してデジタルデータの記録再生を行う。ディスクドライブ部２７は、制御部４０の指示に基づいて光ディスク２８からデジタルの映像信号、音声信号を読み出し、記録再生処理部２９に出力する。また、ディスクドライブ部２７は、記録再生処理部２９から入力されたデジタルの映像信号、音声信号を光ディスク２８に記録する。
【００１５】
ＨＤＤ３０は、制御部４０の指示に基づいてハードディスク３０ａからデジタルの映像信号、音声信号を読み出し、記録再生処理部２９に出力する。また、ＨＤＤ３０は、記録再生処理部２９から入力されたデジタルの映像信号、音声信号をハードディスク３０ａに記録する。また、ＨＤＤ３０は、ハードディスク３０ａの記憶領域内に、番組表データベース（ＤＢ）３０１を格納している。番組表ＤＢ３０１は、制御部４０の制御によって放送信号から分離されたＥＩＴに基づいて、各番組の番組情報を記憶する。
【００１６】
ネットワークインタフェース３２は、入出力端子３３を介して外部のネットワーク３４に接続可能に構成されている。ネットワーク３４には、放送局のサーバ３５、ＳＮＳサーバ３６が接続されている。放送局のサーバ３５は、放送局で用いられる情報処理装置である。また、ＳＮＳサーバ３６は、ＳＮＳを提供するサーバである。尚、ネットワーク３４には、その他のネットワークサーバが接続されてもよい。
【００１７】
記録再生処理部２９は、復調復号部１５、入力端子３１、ディスクドライブ部２７、ＨＤＤ３０、ネットワークインタフェース３２から入力されるデジタルの映像信号、音声信号を暗号化し所定の記録フォーマットに変換する。そして変換後の信号をディスクドライブ部２７またはＨＤＤ３０に出力する。また、記録再生処理部２９は、ディスクドライブ部２７またはＨＤＤ３０から読み出されたデジタルの映像信号、音声信号を複合化して、入力信号処理部１６に出力する。
【００１８】
入力信号処理部１６は、復調復号部１５または記録再生処理部２９から入力されたデジタルの映像信号及び音声信号に対して所定のデジタル信号処理を施して、出力信号処理部２１に出力する。出力信号処理部２１は、合成処理部１７と、音声処理部１８と、映像処理部２０とを備えている。入力信号処理部１６は、デジタルの映像信号を合成処理部１７に出力し、デジタルの音声信号を音声処理部１８に出力する。
【００１９】
また、入力信号処理部１６は、チューナ部１４で選局される放送信号（トランスポートストリーム）から、番組名、出演者、開始時刻などのイベント情報を記述したテーブルであるＥＩＴ（Event  Information  Table）を分離する。入力信号処理部１６で分離されたＥＩＴは、制御部４０の番組情報解析部４１（図３参照）に入力される。
【００２０】
合成処理部１７は、入力信号処理部１６から入力されるデジタルの映像信号と、制御部４０から入力される映像信号とに基づいて、各々の映像をＬＣＤパネル３の表示領域内に割当てる処理を行う。また、合成処理部１７は、表示領域を割り当てられた後の各映像信号を映像処理部２０に出力する。
【００２１】
映像処理部２０は、合成処理部１７から入力されたデジタルの映像信号を、ＬＣＤパネル３で表示可能なフォーマットのアナログ映像信号に変換して、ＬＣＤパネル３に入力する。ＬＣＤパネル３は、映像処理部２０から出力されたアナログ映像信号によって、番組の視聴画面、その他の表示画面やＧＵＩ（Graphical  User  Interface）等を表示する。
【００２２】
音声処理部１８は、入力信号処理部１６から入力されたデジタルの音声信号を、後段のスピーカ２２で再生可能なフォーマットのアナログ音声信号に変換して、スピーカ２２に入力する。スピーカ２２は、音声処理部１８から入力されたアナログ音声信号に基づいて音声を再生する。
【００２３】
制御部４０は、チューナ部１４、記録再生処理部２９、入力信号処理部１６、出力信号処理部２１、操作部２４、受信部２６、ディスクドライブ部２７、ＨＤＤ（Hard  Disk  Drive）３０、ネットワークインタフェース３２等とバスやインタフェースによって接続されており、これら各部の動作を制御する。また、制御部４０は、視聴者による操作部２４やリモートコントローラ２５の操作に基づいて、制御部４０に接続された上記各部を制御し、番組視聴、チャンネル切替、番組の録画予約、映像コンテンツ等の処理を行う。図２に示すように、制御部４０は、ＣＰＵ（Central  Processing  Unit）４０ａと、ＣＰＵ４０ａが実行する制御プログラムを格納したＲＯＭ（Read  Only  Memory）４０ｂと、該ＣＰＵ４０ａに作業エリアを提供するためのＲＡＭ（Random  Access  Memory）４０ｃとを備えている。
【００２４】
図３は、デジタルテレビジョン１が有するソフトウェア構成を示すブロック図である。制御部４０は、制御部４０が備えるＣＰＵ４０ａがＲＯＭ４０ｂに格納されたプログラムをＲＡＭ４０ｃに展開して実行することにより、図３に示すように、番組情報解析部４１、番組情報管理部４２、ＳＮＳ管理部４３、検索結果画面生成部４４としての機能を実現する。
【００２５】
番組情報解析部４１は、入力信号処理部１６から入力されたＥＩＴのデータ構造を解析する。即ち、番組情報解析部４１は、各番組のトランスポートストリームに含まれる構造化されたデータを解析して、ＥＩＴに含まれるパケット識別子（ＰＩＤ）を識別する。
【００２６】
番組情報管理部４２は、番組情報解析部４１と協働して番組表ＤＢ３０１を生成し、番組表ＤＢ３０１に含まれる情報を管理する。図３に示すように、番組情報管理部４２は、番組情報保存部４２１と、番組情報検索部４２２とを備えている。
【００２７】
番組情報保存部４２１は、上述のＥＩＴから各ＰＩＤにより識別される各種情報テーブルに記述されている番組情報を抽出し、図４に示すように、ハードディスク３０ａ内の番組表ＤＢ３０１に保存する。このように、番組情報解析部４１と番組情報保存部４２１とは、番組情報を取得する取得手段として機能する。
【００２８】
図４は、番組表ＤＢ３０１が格納するデータの一例を示す模式図である。番組情報保存部４２１は、放送信号から分離されたＥＩＴから、ネットワーク（放送局）を識別するためのネットワーク識別（network＿id）、サービス（チャンネル）を識別するためのサービス識別（service＿id）、イベント（番組）を識別するためのイベント識別（event＿id）、番組名または番組の簡単な内容を示す短形式のイベント記述子である番組概要説明記述（text＿char）、番組の詳細内容を項目毎に示す拡張形式のイベント記述子である番組詳細説明記述（item＿char）等の番組情報を抽出して、図４に示すように、番組表ＤＢ３０１に格納する。
【００２９】
図４では、番組情報の一例として、放送局「Ｎｅｗｓ−ＴＶ」のチャンネル「Ｎｅｗｓ−ＴＶ  ００１」において放送される番組「朝のニュース」に関する番組情報を示している。また、図４に示す例では、番組概要説明記述（text＿char）において、サービス名が「ＳＮＳ＜Ａ＞」であるＳＮＳでのこの番組のアカウントＩＤがasano＿newsであることが記述されている。
【００３０】
尚、各番組情報およびトランスポートストリームのデータ構造については、ＡＲＩＢ（電波産業界）が規定するＴＲ−Ｂ１４（地上デジタルテレビジョン放送運用規定）、ＴＲ−Ｂ１５（ＢＳ/広帯域ＣＳデジタル放送運用規定）等の規定に準拠するものとする。
【００３１】
また、図４の例では、リレーショナルデータベース形式で各番組情報が保存される例を示しているが、データベースの形式はこれに限定されるものではなく、その他の形式でデータを保存するとしてもよい。
【００３２】
番組情報検索部４２２は、番組表ＤＢ３０１に含まれる番組情報を検索して、ＳＮＳの交信内容に関連する関連番組を番組表ＤＢ３０１から抽出する関連番組抽出手段として機能する。番組情報検索部４２２の機能の詳細については後述する。
【００３３】
ＳＮＳ管理部４３は、ネットワークインタフェース３２等とともに、コミュニケーションサービスに関するコンテンツを受信する受信手段およびコンテンツを送信する送信手段として機能する。即ち、ＳＮＳ管理部４３は、ネットワーク３４上のＳＮＳサーバ３６から文字列を含んだコンテンツとして、ＳＮＳの交信データを送受信する。また、ＳＮＳ管理部４３は、ＳＮＳの交信処理、ＳＮＳに関するＧＵＩの表示処理等を管理する。尚、ＳＮＳ管理部４３が提供する機能は、動画配信サービスやＷｅｂサービス等のその他の機能と連携されるとしてもよい。図３に示すように、ＳＮＳ管理部４３は、構造化テキスト解析部４３１と、ＩＤリスト生成部４３２と、ＧＵＩ生成部４３４と、ＩＤリスト４３５とを備えている。
【００３４】
構造化テキスト解析部４３１は、ＳＮＳサーバ３６から受信した構造化テキストデータ（交信データ）のデータ構造を解析する。
【００３５】
ＩＤリスト生成部４３２は、ＳＮＳ管理部４３が送受信した交信データに含まれているユーザ識別情報を抽出して識別情報のリストを生成するリスト生成手段として機能する。即ち、ＩＤリスト生成部４３２は、構造化テキスト解析部４３１の解析結果に基づいて、構造化テキストデータに含まれるＳＮＳのアカウントＩＤを抽出し、抽出されたアカウントＩＤによってＩＤリスト４３５を生成する。ここで、アカウントＩＤは、そのコミュニケーションサービスにおいてユーザの識別のために用いられる情報であり、ユーザのニックネームやメールアドレス、任意の文字列や数列等を用いることができる。ＩＤリスト４３５は、構造化テキストデータに含まれるＳＮＳのアカウントＩＤを格納するリストである。
【００３６】
ＧＵＩ生成部４３４は、例えばユーザの発言や購読中のニュース内容等、ＳＮＳの交信内容を表示するＳＮＳ画面５２（図７参照）の表示データを生成し、出力信号処理部２１に出力する。出力信号処理部２１は、入力された表示データに基づいて、ＬＣＤパネル３の一部にＳＮＳ画面５２を表示させる。このように、ＧＵＩ生成部４３４、出力信号処理部２１は、ＳＮＳの交信内容（コンテンツ）を表示する表示手段として機能する。
【００３７】
次に、ＳＮＳ管理部４３が行うＳＮＳの交信処理手順の一例について説明する。図５は、ＳＮＳにおける交信処理手順の一例を示すシーケンス図である。図５に示すように、ＳＮＳサーバ３６はネットワークを介して放送局のサーバ３５、デジタルテレビジョン１に対してＳＮＳ（サービス名：ＳＮＳ＜Ａ＞）を提供している。また、放送局のサーバ３５においては、番組「朝のニュース」の代表者がＳＮＳのアカウントＩＤ「asano＿news」を用いてＳＮＳに参加し、デジタルテレビジョン１においては、テレビ視聴者がＳＮＳのアカウントＩＤ「user01」を用いてＳＮＳに参加している。
【００３８】
そして例えば、放送局のサーバ３５はアカウントＩＤ「asano＿news」によって「今日の放送はｘｘ時ｘｘ分からです！」と番組を宣伝する発言をＳＮＳサーバ３６に送信する（ステップＳ１）。ＳＮＳサーバ３６は「asano＿news」からの発言を受信してサーバの記憶部に保存する（ステップＳ２）。デジタルテレビジョン１のＳＮＳ管理部４３は、所定時間ごとに、ユーザが予め登録しておいたＳＮＳの購読リスト等に基づいて、ＳＮＳにおける新規の発言の一覧である発言一覧を取得するための取得要求をＳＮＳサーバ３６に送信する（ステップＳ３）。ＳＮＳサーバ３６はこの取得要求を受けると、デジタルテレビジョン１に新規の発言を送信する（ステップＳ４）。ＳＮＳ管理部４３は、ＳＮＳサーバ３６から新規の発言を受信すると、受信した新規の発言に基づいてＳＮＳ画面５２（図７参照）を更新する更新処理を行う（ステップＳ５）。ここで、図６を用いてＳＮＳ画面５２の更新処理について説明する。
【００３９】
図６は、ＳＮＳ管理部４３が行うＳＮＳ画面５２の更新処理の手順を説明するフローチャートである。ＳＮＳ管理部４３は、ＳＮＳサーバ３６から新規の発言の一覧である発言一覧を受信する（ステップＳ２１）。発言一覧は例えばテキストデータ等で構成されるデータであり、このテキストデータは、発言者、発言の内容等の構成要素によって構造化されている。そして、ＳＮＳ管理部４３の構造化テキスト解析部４３１は、このテキストデータの構造を解析して、発言者、発言の内容等を抽出する（ステップＳ２２）。ＳＮＳ管理部４３のＧＵＩ生成部４３４は、抽出された発言者、発言の内容等に基づいてＳＮＳ画面５２（図７参照）の表示データを生成し（ステップＳ２３）、出力信号処理部２１に出力する。そして、出力信号処理部２１は、入力された表示データに基づいてＬＣＤパネル３の表示を更新する（ステップＳ２４）。
【００４０】
図５のステップＳ６に戻って、デジタルテレビジョン１のユーザは、操作部２４またはリモコン２５等を用いて、ＳＮＳ上で「asano＿newsさん、毎日見ています！」という発言を入力し、入力を確定する。ＳＮＳ管理部４３は、入力された発言をユーザアカウントとともにＳＮＳサーバ３６に送信する（ステップＳ６）。
【００４１】
ＳＮＳサーバ３６は、デジタルテレビジョン１から上述の発言を受信して記憶部に保存する（ステップＳ７）。そして、放送局のサーバ３５は、所定時間ごとに、ＳＮＳにおける新規の発言一覧を取得するための取得要求をＳＮＳサーバ３６に送信する（ステップＳ８）。デジタルテレビジョン１のＳＮＳ管理部４３もまた、所定時間ごとに、ＳＮＳにおける新規の発言一覧を取得するための取得要求をＳＮＳサーバ３６に送信する（ステップＳ９）。そして、ＳＮＳサーバ３６は、これらの取得要求に応じて、放送局のサーバ３５に発言一覧を送信し（ステップＳ１０）、デジタルテレビジョン１に発言一覧を送信する（ステップＳ１１）。デジタルテレビジョン１は、受信した発言一覧に含まれる構造化テキストに対して、関連番組を検索する関連番組検索処理を行う（ステップＳ１２）。
【００４２】
次に、デジタルテレビジョン１が行う関連番組検索処理についてより詳細に説明する。
【００４３】
ＩＤリスト生成部４３２は、上記ステップＳ１２で例示したように、ＳＮＳ管理部４３が発言やアカウントＩＤ等の交信データをネットワーク３４に送信し、さらに、ネットワーク３４から発言一覧等の交信データを受信した場合にＩＤリスト４３５を生成する。このようなタイミングでＩＤリスト４３５を生成することによって、ユーザによるデータ送信をトリガとして関連番組検索結果処理を開始させることができる。従って、検索処理の頻度を適切な回数に保つことができ、検索によるデータ処理の負担を軽減することができる。尚、ＩＤリスト４３５を生成するタイミングはこれに限定されるものではなく、その他のタイミングで生成するとしてもよい。
【００４４】
番組情報検索部４２２は、番組情報内に交信データ内の文字列（例えば、アカウントＩＤ等のユーザ識別情報）が含まれる場合に、当該番組情報に対応した番組をその交信データに関連した関連番組として抽出する。より具体的には、番組情報検索部４２２は、ＩＤリスト４３５内に格納されているアカウントＩＤが、番組表ＤＢ３０１の番組概要説明記述（text＿char）または番組詳細説明記述（item＿char）に含まれている番組を関連番組として抽出する。そして、番組情報検索部４２２は、抽出された関連番組の番組情報を検索結果画面生成部４４に出力する。
【００４５】
検索結果画面生成部４４は、番組情報検索部４２２から入力された関連番組の番組情報に基づいて、関連番組検索結果画面５３の表示データを生成し、出力信号処理部２１にこの表示データを出力する。このように、検索結果画面生成部４４、出力信号処理部２１は、関連番組の番組情報に含まれる情報を表示する表示手段として機能する。
【００４６】
一例として、ＩＤリスト４３５にアカウントＩＤ「asano＿news」が格納されている場合、番組情報検索部４２２は、この「asano＿news」を検索キーとして、図４に示す番組表ＤＢ３０１内を検索する。図４に示すように、text＿charに「ＳＮＳ＜Ａ＞での公式アカウントはasano＿news」と検索キーが含まれている場合に、番組情報検索部４２２は、この番組を関連番組として抽出し、この関連番組の番組情報を検索結果画面生成部４４に出力する。検索結果画面生成部４４は、この関連番組の番組情報に基づいて、関連番組検索結果画面５３の表示データを生成する。
【００４７】
図７は、ＬＣＤパネル３に表示される関連番組検索結果画面５３の一例を示す図である。出力信号処理部２１の合成処理部１７は、番組を視聴するための視聴画面５１、ＳＮＳサービスに関する表示を行うＳＮＳ画面５２、関連番組検索結果画面５３等の各画面をＬＣＤパネル３内に表示可能なように各画面の表示データを合成し、映像処理部２０に出力する。映像処理部２０は合成処理部１７から入力された表示データに基づいて、ＬＣＤパネル３に各画面を表示させる。
【００４８】
視聴画面５１には、操作部２４またはリモコン２５によって選択操作されたチャンネルで放送されている番組や、ディスクドライブ部２７、ＨＤＤ３０から入力される視聴データ、ネットワークインタフェース３２を介して外部から入力される視聴データ等に基づく映像が表示される。
【００４９】
ＳＮＳ画面５２には、上述したＳＮＳ管理部４３の表示更新処理（図６参照）に基づいて各アカウントＩＤ（例えば、asano＿news、user01等）のユーザによる発言内容（交信内容）が表示され、発言に応じて表示は更新される。
【００５０】
そして、関連番組検索結果画面５３には、上述した番組情報検索部４２２、番組情報検索部４２２等による関連番組検索処理の検索結果５３ａが表示される。検索結果の一例としては、ユーザが予め交信を登録しているユーザ（アカウントＩＤ：asano＿news）に関連する番組について、その番組名「Ｎｅｗｓ−ＴＶ」と、チャンネル「００１」、放送日時等が表示される。
【００５１】
また、関連番組検索結果画面５３には、検索結果として抽出された番組に対して、視聴や録画予約を行うことができる操作ボタンが表示される。即ち、図７に示すように、番組「Ｎｅｗｓ−ＴＶ」が現在放送中でない場合には、録画予約を受付けるための録画予約ボタン５３ｂ、この番組をシリーズで予約するための連続予約ボタン５３ｃ等が表示される。ユーザは、録画予約ボタン５３ｂ、連続予約ボタン５３ｃをリモコン２５等によって選択操作することにより、この番組の録画予約または連続予約を簡単に行うことができる。このように、関連番組検索結果画面５３は、関連番組の視聴にかかる操作を受付ける受付手段として機能する。
【００５２】
尚、番組「Ｎｅｗｓ−ＴＶ」が現在放送中である場合には、チャンネルを選択してこの番組を視聴する視聴ボタン（不図示）を関連番組検索結果画面５３に表示させるとしてもよい。また、番組「Ｎｅｗｓ−ＴＶ」がＨＤＤ３０等に録画済である場合には、録画を再生するための録画再生ボタン（不図示）を関連番組検索結果画面５３に表示させるとしてもよい。
【００５３】
図８は、デジタルテレビジョン１が行う関連番組検索処理の手順を示すフローチャートである。図５のステップＳ１１でＳＮＳサーバ３６から発言一覧を受信すると、ＳＮＳ管理部４３の構造化テキスト解析部４３１は、受信した構造化テキストデータのデータ構造を解析する（ステップＳ３１）。次に、ＩＤリスト生成部４３２は、ステップＳ３１で行われた解析結果に基づいて、構造化テキストデータに含まれるＳＮＳのアカウントＩＤを抽出し、抽出されたアカウントＩＤによってＩＤリスト４３５を生成する（ステップＳ３２）。
【００５４】
番組情報検索部４２２は、ＩＤリスト４３５からアカウントＩＤを読み込む（ステップＳ３３）。そして番組情報検索部４２２は、番組表ＤＢ３０１において、番組情報内の番組概要説明記述（text＿char）、番組詳細説明記述（item＿char）にステップＳ３３で読み込んだアカウントＩＤを含んでいる関連番組を検索する（ステップＳ３４）。次に、番組情報検索部４２２は、関連番組があったか否かを判定する（ステップＳ３５）。関連番組がある場合（ステップＳ３５：Ｙｅｓ）には、番組情報検索部４２２は関連番組の番組情報を検索結果画面生成部４４に出力する。
【００５５】
検索結果画面生成部４４は入力された関連番組の番組情報に基づいて、関連番組検索結果画面５３の表示データを生成し（ステップＳ３６）、出力信号処理部２１にこの表示データを出力する。出力信号処理部２１は、この表示データに基づいて関連番組検索結果画面５３をＬＣＤパネル３に表示させる（ステップＳ３７）。ステップＳ３５において関連番組が無い場合（ステップＳ３５：Ｎｏ）には、関連番組検索処理を終了する。
【００５６】
図９は、関連番組検索結果画面５３のその他の例を示す図である。本実施形態によれば、ＳＮＳにおける交信記録が更新されると、関連番組検索結果画面５３も更新される。これにより、デジタルテレビジョン１は、ＳＮＳの交信記録に追随するように関連番組をユーザに通知することができる。また、ユーザはＳＮＳの最新の交信記録に関連する番組を、番組表検索等の煩雑な作業をすることなく、録画予約ボタン５３ｂ等を選択操作するだけで録画や視聴等を行うことができる。
【００５７】
以上説明したとおり、本実施形態によれば、番組情報内にコンテンツ内の文字列が含まれる場合に、当該番組情報を有する番組を上記コンテンツに関連する関連番組として抽出し、関連番組の番組情報に含まれる情報を表示する。従って、煩雑な操作をすることなくコンテンツに関連した関連番組を視聴しやすくなり、コミュニケーションサービスにおける交信内容と関連性の高い番組の視聴動作に関してその利便性を向上させることができる。
【００５８】
尚、上述では、チューナ部１４が受信した放送ストリームから抽出した番組情報を番組表ＤＢ３０１に格納するとしたが、番組表ＤＢ３０１に格納される番組情報はこれに限定されるものではない。その他の例として、ハードディスク３０ａや光ディスク２８等に格納されている映像コンテンツ、ネットワーク３４上の映像コンテンツ等に含まれる番組情報を、番組表ＤＢ３０１に格納するとしてもよい。
【００５９】
尚、上述では、文字列を含んだコンテンツとして、ＳＮＳサーバ３６との間でＳＮＳの交信データを送受信する場合について説明したが、その他の外部装置との間でその他のコンテンツを送受信する場合において本実施形態を適用するとしてもよい。コンテンツ、すなわち送受信される交信データの例としては、Twitter（登録商標）における交信データ、YouTube（登録商標）等の動画配信サービスにおける交信データ（タイトルや投稿メッセージ等）、Facebook（登録商標）等のＳＮＳ（Social  Networking  Service）における交信データ等がある。また、コンテンツとして電子メールを送受信する場合に、本実施形態を適用するとしてもよい。
【００６０】
なお、本実施形態の映像表示装置で実行されるプログラムは、ＲＯＭ等に予め組み込まれて提供される。本実施形態の映像表示装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６１】
さらに、本実施形態の映像表示装置で実行されるプログラムを、インターネット等のネットワークに接続されたコンピュータ上に格納し、ネットワーク経由でダウンロードさせることにより提供するように構成しても良い。また、本実施形態の映像表示装置で実行されるプログラムをインターネット等のネットワーク経由で提供または配布するように構成しても良い。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１…デジタルテレビジョン、３５…放送局のサーバ、３６…ＳＮＳサーバ、３…ＬＣＤパネル、５１…視聴画面、５２…ＳＮＳ画面、５３…関連番組検索結果画面、５３ａ…検索結果、５３ｂ…録画予約ボタン、５３ｃ…連続予約ボタン、３０１…番組表データベース。
【図１】
2013012921.tif 000003
【図２】
2013012921.tif 000004
【図３】
2013012921.tif 000005
【図４】
2013012921.tif 000006
【図５】
2013012921.tif 000007
【図６】
2013012921.tif 000008
【図７】
2013012921.tif 000009
【図８】
2013012921.tif 000010
【図９】
2013012921.tif 000011